(57)【要約】【課題】  ケースから電子回路ユニットおよび電源部を取り外せるようにする。【解決手段】  ケース本体部３の下部には増幅部３０が、ケース本体部３の左側壁１２および右側壁１３に形成されている２段爪片１２ｂ，１３ｂにより抱持されて取り付けられている。このケース本体部３の上部に、電源部４０が左側壁１２および右側壁１３に形成されている押さえ爪片１２ａ，１３ａにより抱持されて取り付けられている。ケース本体部３の左側壁１２と右側壁１３の間隔を拡げることにより、ケース本体部３から電源部４０と増幅部３０とを取り外すことができる。【選択図】  図３
2014229964.tif 000002
【特許請求の範囲】
【請求項１】
背面板と、該背面板の３方の縁部から立設して形成されている左側壁、右側壁および下壁とを有し、内部に収納空間を有すると共に上面と前面が開口されている箱状の形状とされ、前記収納空間に電子回路ユニットと、該電子回路ユニットに電源を供給する電源部とが取り外し自在に収納されており、前記下壁から前記電子回路ユニットの入力用あるいは出力用の複数の端子が突出されているケース本体部と、
前面板と、該前面板の３方の縁部から立設されて形成された左側壁、右側壁と上壁とを有し、前記ケース本体部の前記上面側に回転可能に枢支されて前記ケース本体部の開口された上面および前面を閉塞するよう被嵌されると共に、内部に収納空間を有する箱状の形状とされている蓋部とを備え、
前記ケース本体部の前記左側壁および前記右側壁には、前記電子回路ユニットの両側の角に係合して前記電子回路ユニットを抱持する前記背面板に向かって段部間の間隔が拡がるように２段の段部が形成されている２段爪片と、前記電源部の両側の角に係合して前記電源部を抱持する押さえ爪片とが、それぞれ形成されており、前記ケース本体部の前記左側壁と前記右側壁との間隔を拡げることにより、前記ケース本体部に取り付けられた前記電子回路ユニットを取り外すことができることを特徴とする電子機器。
【請求項２】
前記蓋部が前記ケース本体部に対して開けられると共に、前記電源部が前記ケース本体部から取り外された状態において、前記電子回路ユニットを前記背面板から浮かすことにより、前記２段爪片のうちの段部間の間隔が狭い上段の段部に、前記電子回路ユニットの両側の角が係合するようになって、前記ケース本体部の前記左側壁と前記右側壁との間隔が拡がり、前記電子回路ユニットを前記ケース本体部から取り外すことができることを特徴とする請求項１に記載の電子機器。
【請求項３】
前記背面板に、前記電子回路ユニットの側面の下端から突出して形成されている取付足に形成されている挿通孔に嵌入する凸部が形成されており、前記ケース本体部に前記電子回路ユニットを取り付けた時に、前記凸部が前記挿入孔に嵌入されて前記電子回路ユニットの位置決めが行われることを特徴とする請求項１または２に記載の電子機器。
【請求項４】
前記電子回路ユニットには、前記ケース本体部から取り外された前記電子回路ユニットを取り付けるための複数の前記取付足が、前記電子回路ユニットの側面の下端から突出して形成されていることを特徴とする請求項１ないし３のいずれかに記載の電子機器。
【発明の詳細な説明】
【技術分野】
【０００１】
本発明は、屋外に設置するに適したケースを備え、ケースから電子回路ユニットおよび電源部を取り外して使用できる電子機器に関する。
【背景技術】
【０００２】
テレビ受信用のアンテナで受信した受信信号は、一般に同軸ケーブルを介してテレビジョンに入力される。この場合、テレビジョンが複数台設けられている場合は、分配器を用いて受信信号を複数に分配して、分配した受信信号がそれぞれテレビジョンに入力されるようになる。複数台のテレビジョンがある場合に、各テレビジョンに入力される受信信号は、同軸ケーブルの伝送損失や分配器の分配損失により受信レベルが低下するようになり、十分な受信レベルが得られない場合がある。このような場合に使用するテレビ受信用ブースタは、受信信号を増幅する増幅ユニットが内蔵されており、増幅ユニットにより受信信号を増幅することで、同軸ケーブルの伝送損失や分配器の分配損失などの影響を改善することができる。このテレビ受信用ブースタは、アンテナの直下に設けられると、その改善効果を高くすることができる。
【０００３】
従来のテレビ受信用ブースタ装置を特許文献１に示すが、このテレビ受信用ブースタ装置はテレビ信号を増幅する増幅部と、この増幅部に電力を供給する電源部との二つの筐体を有し、増幅部と電源部とは互いに機構的な結合分離ができる構造とされれている。ここで、テレビ受信用のアンテナは、家屋の外壁や屋根の上など屋外の環境に設置されることが多いことから、テレビ受信用ブースタ装置もアンテナが設けられているポールや家屋の外壁に設置されることが多くなる。テレビ受信用ブースタ装置をこのように使用する場合は、増幅部を電源部から機構的に分離させて、分離させた増幅部をポールや家屋の外壁に設置し、分離した電源部を屋内に設置する。そして、ＴＶアンテナと増幅部とを同軸ケーブルで接続すると共に、増幅部と電源部とを同軸ケーブルで接続する。これにより、電源部から同軸ケーブルを介して増幅部に電力が供給される。ＴＶアンテナで受信したテレビ信号は、同軸ケーブルを伝搬して増幅部に入力されて増幅され、増幅されたテレビ信号は、同軸ケーブル１０３を介して電源部に送られる。電源部は、増幅された受信信号を出力する出力端子を有しており、出力端子から出力されるテレビ信号がテレビジョンに供給される。
【０００４】
また、従来、増幅器と電源部とを内蔵する増幅器ケースであって、増幅器ケース内から電源部を着脱できるようにした増幅器ケース（特許文献２参照）が知られている。この増幅器ケース１００の全体構成を示す正面図を図３１に、電源部を増幅器ケース内に収納する際の第１の手順を説明するための断面図で示す側面図を図３２に、電源部の構成を示す正面図を図３３に、電源部の構成を示す下面図を図３４に、電源部の構成を示す側面図を図３５に、蓋部を開けた状態であって電源部を増幅器ケース内に収納した構成を断面図で示す側面図を図３６に示す。
従来の増幅器ケース１００は、図３１に示すように厚みの薄い直方体状をしており、増幅部１３１が収納されていると共に、電源部１４０が着脱可能に収納されている。増幅器ケース１００は、ケース本体部１０３と、ケース本体部１０３に被嵌される蓋部１０２とから構成されている。蓋部１０２の一側には一対の回転支持部１０４が形成されており、この回転支持部１０４によりケース本体部１０３に対して回転可能とされている。ケース本体部１０３の下面には信号入力端子１０５と信号出力端子１０６とが設けられ、電源部１４０が収納されている場合は図示するように電源ケーブル１０７が導出されている。
【０００５】
図３３〜図３５に示す電源部１４０は、細長い直方体状とされており両側面からそれぞれ一対の突部１４１が突出するよう形成されている。突部１４１の断面形状は細長い矩形状とされている。また、電源部１４０の下面からは信号入力端子／電源出力端子１４２と信号出力端子１４３とが突出するよう設けられている。この信号入力端子／電源出力端子１４２と信号出力端子１４３とは同軸コネクタにより構成されている。さらに、電源部１４０の下面からはＡＣ１００Ｖのコンセントに装着される電源ケーブル１０７が導出されている。さらにまた、電源部１４０の下面の縁部から、増幅器ケース１００内に収納する際の位置決めとなる一対の位置決め片１４４が突出して形成されている。
【０００６】
図３２は電源部１４０を増幅器ケース１００内に収納する際の手順を説明するための図であり、蓋部１０２をケース本体部１０３に対して回転させ、蓋部１０２を開けた状態とする。回転する際の支点は回転支持部１０４となる。このように蓋部１０２を開けることにより、ケース本体部１０３の上部に蓋部１０２の収納空間による空間が生じるようになる。そこで、電源部１４０をこの空間を利用して、電源部１４０の背面がケース本体部１０３の底面部１１５に当接するように増幅器ケース１００内に収納する。次いで、下向き矢印のように電源部１４０を、底面部１１５に沿って下方へスライドさせる。この際に、電源部１４０の両側面に設けられている４つの突部１４１が、それぞれケース本体部１０３の側壁部に形成されている第１Ｌ字突起１１１および第２Ｌ字突起１１２に係合して下方および前方への移動が規制されて位置決めされる。さらに、位置決め片１４４の作用によっても電源部１４０が増幅部１３１に対して位置決めされる。これにより、電源部１４０の下面から突出するよう設けられている信号入力端子／電源出力端子１４２が増幅部１３１に設けられている電源入力端子１３２に挿入され、電源部１３１から増幅部１４０に電力が供給されるようになる。
なお、電源部１４０は、上記と逆の手順を行うことにより、ケース本体部１０３から取り外すことができる。
【先行技術文献】
【特許文献】
【０００７】
【特許文献１】実開昭５７−２７４１号公報
【特許文献２】特許第４４４８１５１号公報
【発明の概要】
【発明が解決しようとする課題】
【０００８】
ところで、テレビ受信用のブースタは、壁面に設置されたプラボックス内や分電盤等に設置することがある。この場合、ブースタをケースのまま取り付けられる大きさの場所があれば問題ないが、取り付ける場所が狭い場合は、ケースの幅や厚み、高さ、またケースのカバーの開閉などが邪魔となり取り付けられないという問題点があった。この場合、ケースに内蔵されている増幅ユニットや電源部をケースから取り外せば、狭い取付場所であっても取り付けが可能になる場合があるが、従来、電源部をケースから取り外せる構造のブースタは知られているが、増幅ユニットを着脱自在とする構造とはされていなかった。増幅ユニットをケースから取り外すには、多くのネジを外したり特殊な工具が必要になると共に、取り外した増幅ユニットにはプラボックス内や分電盤等に取り付けるための取付手段が備えられていないことから、取付部品を別途用意して取り付ける等の手段が必要になるという問題点があった。
【０００９】
そこで、本発明は、屋外に設置するに適したケースを備え、ケースから電子回路ユニットおよび電源部を取り外して使用できる電子機器を提供することを目的としている。
【課題を解決するための手段】
【００１０】
本発明の電子機器は、背面板と、該背面板の３方の縁部から立設して形成されている左側壁、右側壁および下壁とを有し、内部に収納空間を有すると共に上面と前面が開口されている箱状の形状とされ、前記収納空間に電子回路ユニットと、該電子回路ユニットに電源を供給する電源部とが取り外し自在に収納されており、前記下壁から前記電子回路ユニットの入力用あるいは出力用の複数の端子が突出されているケース本体部と、前面板と、該前面板の３方の縁部から立設されて形成された左側壁、右側壁と上壁とを有し、前記ケース本体部の前記上面側に回転可能に枢支されて前記ケース本体部の開口された上面および前面を閉塞するよう被嵌されると共に、内部に収納空間を有する箱状の形状とされている蓋部とを備え、前記ケース本体部の前記左側壁および前記右側壁には、前記電子回路ユニットの両側の角に係合して前記電子回路ユニットを抱持する前記背面板に向かって段部間の間隔が拡がるように２段の段部が形成されている２段爪片と、前記電源部の両側の角に係合して前記電源部を抱持する押さえ爪片とが、それぞれ形成されており、前記ケース本体部の前記左側壁と前記右側壁との間隔を拡げることにより、前記ケース本体部に取り付けられた前記電子回路ユニットを取り外すことができることを最も主要な特徴としている。
【発明の効果】
【００１１】
本発明の電子機器は、ケース本体部の左側壁と右側壁との間隔を拡げることにより、電子回路ユニットを抱持する２段の段部が形成されている２段爪片の段部間の間隔が拡がることから、２段爪片で抱持されている電子回路ユニットを、ケース本体部からネジを取り外したり特殊な工具を使用することなく、容易に取り外すことができるようになる。
【図面の簡単な説明】
【００１２】
【図１】本発明の実施例のブースタの構成を示す斜視図である。
【図２】本発明の実施例のブースタにおいて、蓋部を開けた状態の構成を示す側面図である。
【図３】本発明の実施例のブースタにおいて、蓋部を中途まで開けた状態の構成を示す斜視図である。
【図４】本発明の実施例のブースタにおいて、蓋部を中途まで開けた状態の構成を示す正面図である。
【図５】本発明の実施例のブースタにおける増幅部と電源部との回路構成を示す回路図である。
【図６】本発明の実施例のブースタにおけるケース本体部の構成を示す斜視図である。
【図７】本発明の実施例のブースタにおけるケース本体部の構成を示す上面図である。
【図８】本発明の実施例のブースタにおけるケース本体部の構成を示す正面図である。
【図９】本発明の実施例のブースタにおけるケース本体部の構成を示す側面図である。
【図１０】本発明の実施例のブースタにおけるケース本体部の構成を示す下面図である。
【図１１】本発明の実施例のブースタにおける蓋部の構成を示す正面図である。
【図１２】本発明の実施例のブースタにおける蓋部の構成を示す上面図である。
【図１３】本発明の実施例のブースタにおける蓋部の構成を示す側面図である。
【図１４】本発明の実施例のブースタにおける蓋部の構成を示す下面図である。
【図１５】本発明の実施例のブースタにおける蓋部の構成を示す背面図である。
【図１６】本発明の実施例のブースタにおける増幅部の構成を示す斜視図である。
【図１７】本発明の実施例のブースタにおける増幅部の構成を示す上面図である。
【図１８】本発明の実施例のブースタにおける電源部の構成を示す上面図である。
【図１９】本発明の実施例のブースタにおいて、増幅部と電源部を収納したケース本体部の構成を断面図で示す側面図である。
【図２０】本発明の実施例のブースタにおいて、増幅部と電源部を収納したケース本体部の構成を断面図で示す下面図である。
【図２１】本発明の実施例のブースタにおいて、増幅部を収納したケース本体部の構成を断面図で示す上面図である。
【図２２】本発明の実施例のブースタにおいて、増幅部をケース本体部から取り外す状態を示す斜視図である。
【図２３】本発明の実施例のブースタにおいて、増幅部をケース本体部から取り外す状態を示す他の斜視図である。
【図２４】本発明の実施例のブースタにおいて、増幅部をケース本体部から取り外す状態を断面図で示す上面図である。
【図２５】本発明の実施例のブースタにおいて、増幅部をケース本体部から取り外す状態を断面図で示す下面図である。
【図２６】本発明の実施例のブースタにおいて、増幅部を壁部に取り付けた構成を示す斜視図である。
【図２７】本発明の実施例のブースタにおいて、電源部と増幅部とを壁部に取り付けた構成を示す斜視図である。
【図２８】本発明の実施例のブースタにおいて、電源部と増幅部とを壁部に取り付けた構成を断面図で示す側面図である。
【図２９】本発明の実施例のブースタをボックスに取り付ける状態を示す側面図である。
【図３０】本発明の実施例のブースタにおいて、電源部と増幅部とをボックス内に取り付けた構成を断面図で示す側面図である。
【図３１】従来の増幅器ケースの構成を示す正面図である。
【図３２】従来の増幅器ケースにおいて、電源部を取り付ける手順を断面図で示す側面図である。
【図３３】従来の増幅器ケースにおける電源部の構成を示す正面図である。
【図３４】従来の増幅器ケースにおける電源部の構成を示す下面図である。
【図３５】従来の増幅器ケースにおける電源部の構成を示す側面図である。
【図３６】従来の増幅器ケースにおいて、蓋部を開けた状態を断面図で示す側面図である。
【発明を実施するための形態】
【００１３】
本発明の電子機器の実施例であるブースタの構成を図１ないし図４に示す。図１はブースタ１の構成を示す斜視図であり、図２はブースタ１の蓋部を開けた状態の構成を示す側面図であり、図３はブースタ１の蓋部を開けた状態の構成を示す斜視図であり、図４はブースタ１の蓋部を開けた状態の構成を示す正面図である。
これらの図に示すように、ブースタ１は、上面と前面が開口された内部に収納空間を有する所定の厚み（高さ）を有する箱状のケース本体部３と、ケース本体部３に回転可能に支持されて、開けた状態から回転させることにより、ケース本体部３の開口された上面および前面を閉塞するよう被嵌することができる内部に収納空間を有する箱状の形状の蓋部２とを備えている。蓋部２とケース本体部３とは合成樹脂を成形することにより作成されており、ケース本体部３の中には、下側にテレビ受信信号を増幅する電子回路ユニットとされる増幅部３０が取り外し可能に内蔵され、増幅部３０に電源を供給する電源部４０が、取り外し可能に増幅部３０の上側に収容されている。増幅部３０には電子回路とされるＴＶ信号を増幅する増幅回路が組まれた回路基板が収納されており、電源部４０を増幅部３０の上側に装着して収納した際には、電源部４０から増幅部３０に動作用の電源が供給される。電源部４０からは、先端に電源プラグが設けられた電源ケーブル４６が導出されて、電源ケーブル４６はケース本体部３の下壁１１に形成された溝部から外部へ導出されている。
【００１４】
電源部４０の高さは、ケース本体部３の左側壁１２、右側壁１３の高さとほぼ同様とされているが、増幅部３０の高さは下壁１１、左側壁１２、右側壁１３の高さより低くされて、増幅部３０の上面と下壁１１、左側壁１２、右側壁１３と電源部４０の側面とで囲まれた空間が存在している。電源部４０の電源ケーブル４６はこの空間を通って、外部へ導出されている。また、増幅部３０の側面には増幅回路が組まれた回路基板に接続されている入力端子５および出力端子６を含む３つの同軸コネクタが突出して設けられており、この３つの同軸コネクタがケース本体部３の下壁１１に形成された貫通孔を貫通して下方へ突出している。この貫通孔のそれぞれの周囲から下方へ延伸するよう円筒状のリング状部１５が形成され、リング状部１５は、下壁１１から突出した３つの同軸コネクタのそれぞれを取り囲んでいる。さらに、下壁１１のほぼ中央の前側には横長とされた矩形状の係合部１６が立設して形成されている。
【００１５】
蓋部２は、前面板２１と、前面板２１の３方の縁部から立設する左側壁２２、右側壁２３と上壁２０から構成され、後面と下面とが開口されている。左側壁２２および右側壁２３の上部の縁部から後方へ突出している回転支持部４を回転軸として、蓋部２は、ケース本体部３に回転可能に支持されている。前面板２１の下端には後方へ向かって一対の矩形状の係止片２４が立設されている。この一対の係止片２４は、蓋部２を回転させてケース本体部３に被嵌した際に、下壁１１に形成されている係合部１６に係合する。係止片２４の先端部には先端に向かって尖ったくさび状の係合片が形成されており、この係止片２４が係合部１６に係合するようになる。また、蓋部２をケース本体部３に被嵌した際には、ケース本体部３の左側壁１２、右側壁１３の外側に、蓋部の左側壁２２、右側壁２３が重合するよう被嵌され、左側壁２２および右側壁２３の縁部に形成された厚みが一段薄くされた部分が、左側壁１２および右側壁１３の根元に形成された溝部内に嵌入される。これにより、蓋部２をケース本体部３に被嵌した際には防滴ケースが構成される。
【００１６】
本発明にかかるブースタ１には増幅部３０と電源部４０とが収納可能とされており、その使用態様を、増幅部３０と電源部４０の回路構成を示す図５を参照して説明する。
増幅部３０では、入力端子５に入力されたＴＶ信号をコンデンサＣ１を介して増幅回路３０ａに供給され所定レベルとなるように増幅される。増幅回路３０ａにより増幅されたＴＶ信号はコンデンサＣ２を介して出力端子６から出力される。増幅回路３０ａには電源部４０から直流電源が供給される。電源部４０は、供給されたＡＣ１００Ｖを所定の直流電圧、例えば＋１５Ｖに変換する電源回路４０ａを備えており、電源回路４０ａから出力される直流電源はコイルＬ２を介して信号入力端子／電源出力端子４２から出力される。また、信号入力端子／電源出力端子４２から入力されたＴＶ信号は、コイルＬ２のインピーダンスにより電源回路４０ａ側へは伝達されず、コンデンサＣ３を介して出力端子４３から出力される。
【００１７】
ここで、電源部４０がブースタ１内に収納されている場合は、点線で示す経路ａのように信号入力端子／電源出力端子４２は電源入力端子３３に接続される。この場合は、信号入力端子／電源出力端子４２から出力された直流電源は増幅部３０の電源入力端子３３に供給され、直流電源は増幅回路３０ａに供給される。なお、出力端子６側へはダイオードＤ１により阻止されて供給されない。これにより、ブースタ１内に収納されている電源部４０から増幅部３０へ電源が供給されるようになる。
【００１８】
また、電源部４０がブースタ１から取り外されて屋内等に設置される場合は、点線で示す経路ｂのように信号入力端子／電源出力端子４２は増幅部３０の出力端子６に同軸ケーブルにより接続される。この場合は、信号入力端子／電源出力端子４２から出力された直流電源は増幅部３０の出力端子６に供給され、直流電源はコンデンサＣ２により阻止されて、コイルＬ１およびダイオードＤ１を介して増幅回路３０ａに供給される。これにより、ブースタ１から取り外されて設置されている電源部４０から増幅部３０へ電源が供給されるようになる。なお、増幅回路３０ａから出力されるＴＶ信号はコイルＬ１のインピーダンスにより阻止され、出力端子６から出力される。また、出力端子６と信号入力端子／電源出力端子４２とは同軸ケーブルにより接続されて、この同軸ケーブルにより電源部４０に入力されたＴＶ信号は、コンデンサＣ３を介して出力端子４３から出力されて、テレビジョンやレコーダ等へ供給される。
【００１９】
次に、ブースタ１におけるケース本体部３の構成を図６ないし図１０に示す。図６はケース本体部３の構成を示す斜視図であり、図７はケース本体部３の構成を示す上面図であり、図８はケース本体部３の構成を示す正面図であり、図９はケース本体部３の構成を示す側面図であり、図１０はケース本体部の構成を示す下面図である。
これらの図に示すように、ケース本体部３は、矩形状の背面板１７と、背面板１７の３方の縁部から立設して形成されている左側壁１２、右側壁１３および下壁１１とから構成されて、ケース本体部３の上側は開口されており、内部に収納空間が形成された箱状の形状とされている。増幅部３０はケース本体部３の収納空間の下部に収納されており、増幅部３０の下面から突出して設けられている入力端子５および出力端子６が、下壁１１に形成されている貫通孔１１ａを貫通してケース本体部３の下面から突出している。下壁１１の背面板１７との境界部の両側に細長い形状の２つの挿入孔１１ｂがそれぞれ形成されている。この挿入孔１１ｂは、ケース本体部３に増幅部３０が収納された際に、増幅部３０の後述する取付足が挿入される溝とされている。
【００２０】
そして、対面している左側壁１２と右側壁１３との中央より若干上の縁部に対向するように押さえ爪片１２ａ，１３ａが、それぞれ形成されている。押さえ爪片１２ａ，１３ａは、背面板１７に対面するよう左側壁１２と右側壁１３のそれぞれの面から直立した矩形状の突起として形成されており、電源部４０の前面の両側の角を抱持する突起とされている。また、左側壁１２と右側壁１３との中央より若干下に対向するように２段爪片１２ｂ，１３ｂが、増幅部３０の高さに合わせてそれぞれ形成されている。この２段爪片１２ｂ，１３ｂは、２段階に係合する階段状の段部が背面板１７に向かって段部間の間隔が拡がるように２段形成されている。そして、背面板１７に対面するよう左側壁１２と右側壁１３のそれぞれの面の中途から直立した矩形状の突起として形成されており、増幅部３０の前面の両側の角に係合して増幅部３０を抱持する突起とされている。さらに、左側壁１２と右側壁１３の外側には高さの低い二重壁部１２ｃ，１３ｃがそれぞれ形成されて、左側壁１２および右側壁１３と二重壁部１２ｃ，１３ｃとの間に嵌入溝１２ｄが形成されている。嵌入溝１２ｄ，１３ｄには、蓋部２の左側壁１２と右側壁１３の端部に形成されている後述する薄肉部２２ａ，２３ａが嵌入されて両者が水密になるよう嵌合される。さらにまた、左側壁１２と右側壁１３の上部の後側の外面から両側へ突出する断面円形の軸部４ａが、それぞれ形成されている。この軸部４ａには、蓋部２に形成されている後述する軸孔４ｂが枢支されて回転支持部４が構成される。
【００２１】
ケース本体部３の背面板１７の内面のほぼ中央には、断面円形の凸部１７ａが形成されており、下部には両側にそれぞれボス１７ｂが形成されている。また、ケース本体部３の下壁１１には貫通孔１１ａが３つ形成されており、この貫通孔１１ａは増幅部３０の側部から突出している入力端子５および出力端子６を含む３つの同軸コネクタが貫通する穴とされている。下壁１１の外面において、貫通孔１１ａのそれぞれの周囲からリング状に突出するリング状部１５が形成されている。このリング状部１５には、図示しない防水キャップが嵌合され、入力端子５および出力端子６と、これに装着される同軸プラグの部分が防水構造とされる。さらに、下壁１１のほぼ中央の前側には横長とされた矩形状の係合部１６が立設して形成されている。
また、ケース本体部３の背面板１７の外面には保持部７が形成されており、下部から延伸するよう一対の取付部１４ａ，１４ｂが形成されている。この保持部７と一対の取付部１４ａ，１４ｂとにより建物等の外壁にブースタ１を取り付けることができるようにされている。
【００２２】
次に、ブースタ１における蓋部２の構成を図１１ないし図１５に示す。図１１は蓋部２の構成を示す正面図であり、図１２は蓋部２の構成を示す上面図であり、図１３は蓋部２の構成を示す側面図であり、図１４は蓋部２の構成を示す下面図であり、図１５は蓋部２の構成を示す背面図である。
これらの図に示すように、蓋部２は、前面板２１と、前面板２１の３方の縁部から立設されて形成された左側壁２２、右側壁２３と上壁２０から構成され、後面と下面とが開口されて内部に収納空間を有する箱状の形状とされている。上壁２０の高さは左側壁２２および右側壁２３の高さより高くされており、左側壁２２および右側壁２３の上部が上壁２０の高さに合わせるよう後方へ突出している。この突出している左側壁２２および右側壁２３に回転支持部４を構成している軸孔４ｂがそれぞれ形成されている。この軸孔４ｂには、ケース本体部３の左側壁１２および右側壁１３の上部の後側にそれぞれ形成されている円形の軸部４ａが嵌合されることにより、ケース本体部３に蓋部２を枢支する回転支持部４が構成されている。
【００２３】
前面板２１の下端には後方へ向かって一対の矩形状の係止片２４が立設されている。この一対の係止片２４は、蓋部２を回転させてケース本体部３に被嵌した際に、下壁１１に形成されている係合部１６に係合する。係止片２４の先端部には先端に行くほど尖るくさび状の係合片が形成されており、この係合片が係合部１６に係合するようになる。また、前面板２１の下端から下方へ延伸して両側が斜辺とされ先に行くにつれて幅が狭くなる張り出し片２１ａが形成されている。この張り出し片２１ａに指をかけて手前側に力を加えることにより、ケース本体部３から蓋部２を開けることができる。さらに、蓋部２の左側壁２２および右側壁２３の縁部に厚さが一段薄くされた薄肉部２２ａ，２３ａが形成され、蓋部２をケース本体部３に被嵌した際には、ケース本体部３の左側壁１２および右側壁１３と二重壁部１２ｃ，１３ｃとの間の嵌入溝１２ｄ，１３ｄ内に、薄肉部２２ａ，２３ａがそれぞれ嵌入される。
【００２４】
次に、ブースタ１における増幅部３０の構成を図１６，図１７に示す。図１６は増幅部３０の構成を示す斜視図であり、図１７は増幅部３０の構成を示す上面図である。
これらの図に示す増幅部３０は、高さ（厚み）の薄い直方体状とされた金属板からなる増幅部ケース３１と、この増幅部ケース３１の内部に収納された増幅回路が組まれた回路基板とから構成されている。回路基板は、増幅部ケース３１によりシールドされて増幅回路はノイズの影響を極力受けないようにされている。増幅部ケース３１の下側面３１ｃからは回路基板に電気的に接続されている入力端子５および出力端子６を含む３つの同軸コネクタが突出している。また、３つの同軸コネクタの間に位置するように、２つの取付足３２ａ、３２ｂが下側面３１ｃの下端から突出して形成されており、上側面３１ｂの下端から１つの取付足３２ｃが突出して形成されている。３つの取付足３２ａ〜３２ｃの高さ（面）は、増幅部ケース３１の下面と同じ高さ（面）とされ、取付ネジ等が挿通される挿通孔がそれぞれ形成されている。また、取付足３２ｃが形成されている上側面３１ｂには左側面３１ｄに寄って２つの円形の穴が形成されており、左側の穴の内部には電源入力端子３３が設けられており、残る穴の中には何も設けられていない。電源入力端子３３は、増幅回路の電源の端子であり回路基板に設けられている。この２つの穴は、増幅部３０の上側に電源部４０が装着された際に、電源部４０に設けられた入力端子／電源出力端子４２と出力端子４３が挿入される穴とされ、入力端子／電源出力端子４２は電源入力端子３３に結合されて、電源部４０から増幅部３０に直流電源が供給されるようになる（図５に示す経路ａ）。また、下側面３１ｃの上端から取付片３２ｄが延伸して形成されている。取付片３２ｄには、取付ネジが螺合されるネジが形成されたネジ孔が形成されている。
【００２５】
ブースタ１における電源部４０の構成を示す上面図を図１８に示す。図１８に示す電源部４０は、横に長い直方体状とされており、下側面４１ｃから入力端子／電源出力端子４２と出力端子４３との２つの同軸コネクタが突出して設けられている。この下側面４１ｃからは、電源ケーブル４６も導出されており、また、入力端子／電源出力端子４２と出力端子４３と電源ケーブル４６との間に位置するように２つの取付片４４ａ、４４ｂが、下側面４１ｃの下端から突出して形成されている。また、前面４１ａと上側面４１ｂとの角部は斜面状に面取りされており、面取りされた部分において、前面４１ａから下面に向かって底面を有する孔部が形成されており、孔部の底面に取付穴４５が形成されている。取付片４４ａ、４４ｂは、電源部４０の本体部４１の下面と同じ面内に位置され、取付ネジが挿通される挿通孔が形成されている。さらに、前面４１ａの両側の左側面４１ｄと右側面４１ｅとの角の下部に係合溝４１ｆがそれぞれ形成されている。
【００２６】
本発明にかかるブースタ１において、増幅部３０と電源部４０を収納したケース本体部３の構成を断面図で示す側面図を図１９に示し、その構成を断面図で示す下面図を図２０に、その構成を示す上面図を図２１に示す。ただし、図２０，図２１では電源部４０を省略して示している。
これらの図に示すように、ケース本体部３の下側に増幅部３０が収納され、増幅部３０の上側に電源部４０が収納されている。増幅部３０を収納する際には、下側面３１ｃに設けられた入力端子５および出力端子６をケース本体部３に形成されている貫通孔１１ａに位置合わせしながら、ケース本体部３の左側壁１２と右側壁１３との間に収納していく。この場合、左側壁１２と右側壁１３に形成されている対向する２つの２段爪片１２ｂ，１３ｂの間隔より、増幅部３０の左側面３１ｄと右側面３１ｅ間の横幅が長いことから、左側壁１２と右側壁１３との間が拡がるように力を加え、増幅部３０を左側壁１２と右側壁１３との間の空間に収納していく。増幅部３０の底面が背面板１７の内面に接した際には、増幅部３０の増幅部ケース３１の左側面３１ｄと右側面３１ｅとが左側壁１２と右側壁１３にそれぞれ接するようになると共に、前面３１ａの両側の角に２段爪片１２ｂ，１３ｂの下側の段部が係合して、増幅部３０が抱持されるようになる。次いで、入力端子５および出力端子６を貫通孔１１ａに挿入するように、増幅部３０を下方へスライドさせる。これにより、増幅部３０を図２０，図２１に示すようにケース本体部３内に収納することができる。すなわち、増幅部ケース３１の前面３１ａの両側の角が２段爪片１２ｂ，１３ｂの下側の段部で抱持されて浮き上がりが防止されると共に、取付足３２ｃに形成されている挿通孔内に背面板１７に形成されている凸部１７ａが嵌入して位置決めされる。さらに、取付足３２ａ，３２ｂが下壁１１に形成されている２つの挿入孔１１ｂにそれぞれ挿入される。
【００２７】
電源部４０は、図３２に示す従来の増幅器ケース１００に電源部１４０を収納する手順と同様の手順でケース本体部３に収納される。すなわち、蓋部２の張り出し片２１ａに指をかけて蓋部２をケース本体部３に対して手前側に回転させ、図２，３に示すように蓋部２を開けた状態とする。蓋部２を開けた状態とすると、ケース本体部３の上部であって蓋部２の上壁２０との間に電源部４０を収納できる空間が生じる。そこで、この空間であって左側壁１２と右側壁１３との間に電源部４０を収納して下方へスライドさせると、電源部４０の本体部４１の下側面４１ｃに設けられた入力端子／電源出力端子４２と出力端子４３が、増幅部３０の上側面３１ｂに形成されている２つの穴に挿入されていくと共に、左側壁１２と右側壁１３に形成されている対向する２つの押さえ爪片１２ａ，１３ａが、電源部４０の本体部４１における前面４１ａの両側の角に形成された係合溝４１ｆに係合されて、電源部４０が抱持される。また、入力端子／電源出力端子４２は電源入力端子３３に結合されて、電源部４０から増幅部３０に直流電源を供給できる状態となる。
【００２８】
本発明にかかるブースタ１においては、増幅部３０および電源部４０が取り外し可能とされている。電源部４０をケース本体部３から取り外す際には、取り付けた時の逆の手順により取り外すことができる。すなわち、蓋部２をケース本体部３から開けた状態として電源部４０を上方へスライドさせる。これにより、押さえ爪片１２ａ，１３ａによる電源部４０の係合状態が解除され、入力端子／電源出力端子４２と出力端子４３が、増幅部３０の側面に形成されている２つの穴から抜け出て、電源部４０はケース本体部３の上部であって蓋部２の上壁２０との間の空間に位置するようになる。これにより、電源部４０をケース本体部３から取り外すことができる。
【００２９】
また、増幅部３０をケース本体部３から取り外す状態を図２２ないし図２５に示す。図２２は増幅部３０をケース本体部３から取り外す状態を示す斜視図であり、図２３は増幅部３０をケース本体部３から取り外す状態を示す他の斜視図であり、図２４は増幅部３０をケース本体部３から取り外す状態を示す上面図であり、図２５は増幅部３０をケース本体部３から取り外す状態を断面図で示す下面図である。
これらの図に示すように、増幅部３０をケース本体部３から取り外す際には、電源部４０は既にケース本体部３から取り外されており、増幅部ケース３１の上部を把持して手前側に移動させるよう力を印加する。すると、増幅部ケース３１の前面３１ａの両側の角が２段爪片１２ｂ，１３ｂの下側の段部から上側の段部に係合するように上部だけが浮き上がる。この際に、２段爪片１２ｂ，１３ｂの上側の段部間の間隔は下側の段部間の間隔より狭いことから、ケース本体部３の左側壁１２と右側壁１３との間隔が図２２，２３に示すように押し拡げられるようになる。同時に、取付足３２ｃの挿入孔から背面板１７に形成されている凸部１７ａが抜け出るようになる。この状態において、図２２，２３に示す矢印の方向である上方に増幅部３０を移動させることが可能となり、移動させていくと取付足３２ａ，３２ｂが下壁１１に形成されている２つの挿入孔１１ｂから抜け出るようになると共に、入力端子５および出力端子６が貫通孔１１ａから抜け出るようになって、増幅部３０をケース本体部３から取り外すことができるようになる。
上記したように、本発明にかかるブースタ１においては、増幅部３０および電源部４０をネジを取り外したり特殊な工具を用いることなく、容易にケース本体部３から取り外すことができる。
【００３０】
このようにして取り外した増幅部３０や電源部４０は、壁面に設置されたプラボックス内や分電盤等に設置することができる。ここで、増幅部３０を壁部５０に取り付けた構成を示す斜視図を図２６に示す。この場合の壁部５０は、分電盤内の壁部や屋内の壁部とされる。増幅部３０を壁部５０に取り付ける際には、増幅部３０に設けられている取付足３２ａ、３２ｂ、３２ｃの３つの取付足の挿通孔内にネジを挿入する。そして、このネジを壁部５０にねじ込むことにより、増幅部３０を壁部５０に取り付けることができる。
また、増幅部３０および電源部４０を壁部５０に取り付けた構成を示す斜視図を図２７に、その構成を一部断面で示す側面図を図２８に示す。この場合の壁部５０は、分電盤内の壁部や屋内の壁部とされる。増幅部３０および電源部４０を壁部５０に取り付ける際には、まず、増幅部３０に設けられている取付足３２ａ、３２ｂ、３２ｃの３つの取付足の挿通孔内に３本のネジ５２，５３をそれぞれ挿入し、このネジ５２，５３を壁部５０にねじ込むことにより、増幅部３０を壁部５０に取り付ける。次いで、壁部５０に取り付けた増幅部３０の側面に形成されている２つの穴に、電源部４０に設けられた入力端子／電源出力端子４２と出力端子４３を挿入するように電源部４０をスライドして取り付けることにより、増幅部３０に電源部４０を装着する。これにより、入力端子／電源出力端子４２は電源入力端子３３に結合されて、電源部４０から増幅部３０に直流電源を供給できる状態となる。この状態において、電源部４０に設けられている取付穴４５にネジ５１を挿入して、このネジ５１を壁部５０にねじ込むと、増幅部３０および電源部４０を壁部５０に取り付けることができる。なお、増幅部３０に電源部４０を装着した際に、増幅部３０の取付足３２ａ〜３２ｃの底面と電源部４０の底面とが同一の高さになるように、増幅部３０と電源部４０とは構成とされている。
【００３１】
さらに、壁面に設けたボックス内にブースタ１を取り付けたい場合がある。この場合、プラボックス等のボックス６０の大きさに対してブースタ１の大きさが大きすぎてボックス６０内にブースタ１を収納できない状態が図２９に示されている。ブースタ１は蓋部２が開けた状態とされているが、これは、蓋部２を開けた状態がブースタ１の大きさが最も大きい状態であり、ブースタ１はボックス６０内に収納された状態において蓋部２を開ける必要があるからである。図２９に示すように、ボックス６０内には取付台６１が設けられているが、同軸ケーブルを引き回す配線スペース６２を考慮する必要があることから、ブースタ１を取付台６１に取り付けることはできない。
そこで、上記したようにブースタ１から増幅部３０および電源部４０を取り外して、図２７，２８に示す手順と同様にすると、増幅部３０および電源部４０を図３０に示すようにボックス６０内の取付台６１に取り付けることができる。この場合、配線スペース６２を十分確保することができる。
【００３２】
上記したように、本発明の実施例のブースタ１においては、増幅部ケース３１の前面３１ａの両側の角が２段爪片１２ｂ，１３ｂの下側の段部で抱持されると共に、取付足３２ｃに形成されている挿通孔内に背面板１７に形成されている凸部１７ａが嵌入され、取付足３２ａ，３２ｂが下壁１１に形成されている２つの挿入孔１１ｂにそれぞれ挿入された状態で、増幅部３０がケース本体部３に取り付けられている。また、本体部４１における前面４１ａの両側の角の係合溝４１ｆに押さえ爪片１２ａ，１３ａが係合されると共に、入力端子／電源出力端子４２と出力端子４３が、増幅部３０の上側面３１ｂに形成されている２つの穴に挿入されて入力端子／電源出力端子４２が電源入力端子３３に結合した状態で電源部４０がケース本体部３に取り付けられている。この場合、ケース本体部３に蓋部２を被嵌すると、ケース本体部３の左側壁１２および右側壁１３の外側に、蓋部２の左側壁２２および右側壁２３がそれぞれ接するように配置されると共に、薄肉部２２ａ，２３ａが嵌入溝１２ｄ，１３ｄにそれぞれ嵌入される。このように二重壁構造となることから、２段爪片１２ｂ，１３ｂの間隔および押さえ爪片１２ａ，１３ａの間隔が拡がることが防止され、増幅部３０および電源部４０をブースタ１内に安定した状態で着脱可能に取り付けることができる。
そして、増幅部３０および電源部４０をネジを取り外したり特殊な工具を用いることなく、容易にケース本体部３から取り外すことができるようになる。
【産業上の利用可能性】
【００３３】
上記の説明では、本発明の電子機器の実施例をブースタとして説明したが、本発明はブースタに限らず、ケース内に電子回路ユニットを備える電子機器の全般に適用することができる。
以上説明したように、本発明では電子回路ユニットである増幅部をケースから取り外して設置できるようにしたことにより、今までケースの大きさが障害となって取り付けできなかった狭いスペースにおいてもブースタを設置することができるようになる。また、増幅部に電源部を装着した際に、増幅部の取付足の底面と電源部の底面とが同一の高さになるようにされているため、増幅部と電源部をケースより取り外した状態でも平坦な壁面を有する部分であれば増幅部に電源部を装着した状態で取付可能になり、電源一体型としても使用することができる。
なお、本発明の電子機器の実施例であるブースタにおいては、ブースタが家屋の外壁に取り付けられる場合に、近傍の外壁等に商用電源のコネクタが設けられている時は、電源部をブースタに内蔵した状態として、電源部から導出された電源ケーブルの先端のプラグを商用電源のコネクタに装着すれば、ブースタを動作させることができる。また、近傍に商用電源のコネクタが設けられていない場合は、電源部をブースタから取り外して屋内に設置すると共に、電源部から導出された電源ケーブルの先端のプラグを屋内の商用電源のコネクタに装着すればよい。この場合、電源部の出力用のコネクタに接続した同軸ケーブルを分配器あるいはテレビジョンに接続する。
【符号の説明】
【００３４】
１  ブースタ、２  蓋部、３  ケース本体部、４  回転支持部、４ａ  軸部、４ｂ  軸孔、５  入力端子、６  出力端子、７  保持部、１１  下壁、１１ａ  貫通孔、１１ｂ  挿入孔、１２  左側壁、１２ａ，１３ａ  押さえ爪片、１２ｂ，１３ｂ  ２段爪片、１２ｃ，１３ｃ  二重壁部、１２ｄ，１３ｄ  嵌入溝、１３  右側壁、１４ａ，１４ｂ  取付部、１５  リング状部、１６  係合部、１７  背面板、１７ａ  凸部、１７ｂ  ボス、２０  上壁、２１  前面板、２１ａ  張り出し片、２２  左側壁、２２ａ，２３ａ  薄肉部、２３  右側壁、２４  係止片、３０  増幅部、３０ａ  増幅回路、３１  増幅部ケース、３１ａ  前面、３１ｂ  上側面、３１ｃ  下側面、３１ｄ  左側面、３１ｅ  右側面、３２ａ〜３２ｃ  取付足、３２ｄ  取付片、３３  電源入力端子、４０  電源部、４０ａ  電源回路、４１  本体部、４１ａ  前面、４１ｂ  上側面、４１ｃ  下側面、４１ｄ  左側面、４１ｅ  右側面、４１ｆ  係合溝、４２  入力端子／電源出力端子、４３  出力端子、４４ａ  取付片、４５  取付穴、４６  電源ケーブル、５０  壁部、５１〜５３  ネジ、６０  ボックス、６１  取付台、６２  配線スペース、１００  増幅器ケース、１０２  蓋部、１０３  ケース本体部、１０３  同軸ケーブル、１０４  回転支持部、１０５  信号入力端子、１０６  信号出力端子、１０７  電源ケーブル、１１１  字突起、１１２  Ｌ字突起、１１５  底面部、１３１  増幅部、１３１  電源部、１３２  電源入力端子、１４０  増幅部、１４０  電源部、１４１  突部、１４２  信号入力端子／電源出力端子、１４３  信号出力端子、１４４  位置決め片
【図１】
2014229964.tif 000003
【図２】
2014229964.tif 000004
【図３】
2014229964.tif 000005
【図４】
2014229964.tif 000006
【図５】
2014229964.tif 000007
【図６】
2014229964.tif 000008
【図７】
2014229964.tif 000009
【図８】
2014229964.tif 000010
【図９】
2014229964.tif 000011
【図１０】
2014229964.tif 000012
【図１１】
2014229964.tif 000013
【図１２】
2014229964.tif 000014
【図１３】
2014229964.tif 000015
【図１４】
2014229964.tif 000016
【図１５】
2014229964.tif 000017
【図１６】
2014229964.tif 000018
【図１７】
2014229964.tif 000019
【図１８】
2014229964.tif 000020
【図１９】
2014229964.tif 000021
【図２０】
2014229964.tif 000022
【図２１】
2014229964.tif 000023
【図２２】
2014229964.tif 000024
【図２３】
2014229964.tif 000025
【図２４】
2014229964.tif 000026
【図２５】
2014229964.tif 000027
【図２６】
2014229964.tif 000028
【図２７】
2014229964.tif 000029
【図２８】
2014229964.tif 000030
【図２９】
2014229964.tif 000031
【図３０】
2014229964.tif 000032
【図３１】
2014229964.tif 000033
【図３２】
2014229964.tif 000034
【図３３】
2014229964.tif 000035
【図３４】
2014229964.tif 000036
【図３５】
2014229964.tif 000037
【図３６】
2014229964.tif 000038